(57)【特許請求の範囲】
【請求項１】
被選別物を入口側から出口側に案内する振動コンベヤの搬送面に、被選別物を案内する複数のガイド溝を搬送方向に沿って延びるように形成し、
これらガイド溝の出口を重量物排出口に構成するとともに、ガイド溝の一方の側部に沿って軽量物排出口を形成し、
前記搬送面に、被選別物を軽量物排出口側に付勢する複数の分離エアのエア噴射孔を配設した
ことを特徴とする重量式選別装置。
【請求項２】
ガイド溝は、軽量物排出口側の傾斜面が反対側の傾斜面より傾斜角の小さいＶ形に形成され、
前記エア噴射孔が軽量物排出口と反対側の傾斜面に配置された
ことを特徴とする請求項１記載の重量式選別装置。
【発明の詳細な説明】
【０００１】
【発明の属する技術分野】
本発明は、リサイクル用ごみのうち、重量物であるガラス壜類と軽量物であるペットボトル、アルミ缶、スチール缶とを分離する重量選別装置に関する。
【０００２】
【従来の技術】
従来、破砕物を対象とした重量式選別装置には、風力を利用して軽量のシート片やプラスチック片を吹き飛ばして分離するものがあるが、破砕前で風圧面積が一定しないものの分離は困難である。また破砕前のリサイクル用ごみを選別する重量式選別装置として、図３に示すように、側方に傾斜するコンベヤ装置１上に、多数の金属製チェーン２ａを垂下したチェーンカーテン２を配置し、コンベヤ装置１上に投入されたごみのうち、軽量物をチェーンカーテン２に案内させ、重量物はチェーンカーテン２を通過させて排出分離するものがある。
【０００３】
【発明が解決しようとする課題】
しかし、リサイクル用ごみのうち、ガラス壜は後工程で色別に分離されて再利用されるため、破損すると色による分別が不可能になり、再利用が困難になる。このため回収された壜を破損しないことが重要なポイントとなってきている。
【０００４】
ところが上記重量式選別装置では、壜がチェーンカーテン２に接触して破損されやすいという問題があった。
本発明のうち請求項１記載の発明は、上記問題点を解決して、壊れやすいものを破損させることなく重量物と軽量物とに分離することができる重量式選別装置を提供することを目的とする。
【０００５】
【課題を解決するための手段】
上記目的を達成するために本発明の請求項１記載の発明は、被選別物を入口側から出口側に案内する振動コンベヤの搬送面に、被選別物を案内する複数のガイド溝を搬送方向に沿って延びるように形成し、これらガイド溝の出口を重量物排出口に構成するとともに、ガイド溝の一方の側部に沿って軽量物排出口を形成し、前記搬送面に、被選別物を軽量物排出口側に付勢する複数の分離エアのエア噴射孔を配設したものである。
【０００６】
上記構成によれば、入口側からガイド溝に投入された被選別物は、振動されて個々に分散されつつガイド溝に沿って出口側に搬送され、さらにエア噴射孔から噴射された分離エアにより軽量物排出口側に付勢される。これにより、重量物はガイド溝に案内されて重量物排出口に搬送されるが、軽量物はガイド溝を越えて軽量物排出口に押し出され分離排出される。このように、振動搬送途中で吹き付けられる分離エアーでガイド溝を乗り越えさせることにより、被選別物を重量物と軽量物とに高精度で分離でき、また被選別物中に壊れやすい壜類などがあっても破損されることがない。しかも搬送面の幅が、軽量物が分離された後の重量物の搬送に必要な幅だけとなるので、コンパクト化を図ることができる。
【０００７】
また請求項２記載の発明は、上記構成において、ガイド溝は、軽量物排出口側の傾斜面が反対側の傾斜面より傾斜角の小さいＶ形に形成され、前記エア噴射孔が軽量物排出口と反対側の傾斜面に配置されたものである。
【０００８】
上記構成によれば、軽量物を小さい分離エア圧で軽量物排出口側に送り出して分離することができ、分離精度を向上できる。また、分離エアのエア噴射孔を軽量物排出口に対向する傾斜面に配置することにより、これを突出させることなく噴射方向を軽量物排出口側に向けることができ、搬送および分離の障害となることもない。
【０００９】
【発明の実施の形態】
ここで、本発明に係る重量式選別装置の実施の形態を図１，図２に基づいて説明する。この重量式選別装置は、たとえばごみのリサイクル施設に配置されて、振動コンベヤにより、缶、壜、ボトルなどのリサイクルごみを重量物と軽量物に分離するものである。
【００１０】
振動コンベヤ装置１１は、入口から出口にかけて架台１２上に弾性支持部材である複数の防振用コイルばね１２ａを介して弾性支持されたトラフ１３が配設され、このトラフ１３は、底板１３ａと天板（搬送面）１３ｂと左右側板１３ｃ，１３ｃと前後板１３ｄ，１３ｄにより矩形箱体状の中空に形成されている。そしてトラフ１３の天板１３ｂは、被選別ごみを入口から出口に案内する複数本（図面では４本）のガイド溝１４が搬送方向に沿って形成されている。またトラフ１３の底板１３ａの底面には、トラフ１３全体を所定方向に所定の周期で振動させて被選別ごみを入口から出口に搬送する加振装置１５が設けられている。入口には被選別ごみが供給される供給シュート１６が設置され、出口には重量物排出口１７が形成されている。またトラフ１３の搬送方向左側には、供給シュート１６近傍を除いて搬送方向に沿う軽量物排出口１８が形成され、排出ガイド１８ａが設けられている。
【００１１】
前記ガイド溝１４は、軽量物排出口１８側が傾斜角の小さいＶ字形でもよいが、ここでは軽量物排出口１８側が所定の勾配に設定された傾斜面１４ａで、その反対側が垂直面１４ｂからなる鋸刃形断面に形成され、被搬送ごみ中の軽量物が軽量物排出口１８側に乗り越えやすく構成されている。なお、最も右側のガイド溝１４は反対側は垂直面でなく、傾斜面１４ａより傾斜角の大きい傾斜面１４ｃである。
【００１２】
トラフ１３の中空部は風箱２１に形成されており、伸縮継手２２を介してエア供給管２３が接続され、エアコンプレッサー２４から圧力調整弁２５を介して所定圧に調整された分離エアが風箱２１に供給されている。またガイド溝１４の垂直面１４ｂおよび傾斜面１４ｃには、風箱２１内の分離エアをガイド溝１４の被搬送ごみに吹き付けて軽量物排出口１８側に付勢する分離エアのエア噴射孔２６が搬送方向に沿って所定間隔ごとに多数形成されている。
【００１３】
また重量物排出口１７に臨んで重量物トレイ３１が配置されると共に、軽量物排出口１８に臨んで軽量物トレイ３２が配置されている。これらトレイ３１，３２に代えて、ベルトコンベヤや気送コンベヤの投入シュート、あるいは貯溜タンクの搬入ホッパーであってもよい。
【００１４】
上記構成において、被選別ごみが供給シュート１６に投入されると、加振装置１５により振動されてガイド溝１４に送られ、適度に分散されつつガイド溝１４に沿って出口側に搬送される。そして、搬送中に風箱２１からエア噴射孔２６を介して分離エアＡが被選別ごみに向って噴射され、軽量物であるＰＥＴボトルやアルミ缶などが傾斜面１４ｂを乗り越えて左側のガイド溝１４または軽量物排出口１８に直接送り出され、軽量物排出口１８から軽量物トレイ３２に分離排出される。一方、重量物であるガラス壜などは、分離エアＡがあたっても傾斜面１４ａを乗り越えることがなく、ガイド溝１４に沿って搬送されて重量物排出口１７から重量物トレイ３１に排出される。
【００１５】
なお、上記実施の形態において、分離エアの圧力を調整することにより、最大重量物であるガラス壜のみ、あるいはガラス壜とスチール缶を重量物として分離することができる。
【００１６】
上記実施の形態によれば、振動コンベヤ装置１１の搬送面に、複数のガイド溝１４を設けるとともに、左側部に軽量物排出口１８を設け、各ガイド溝１８に分離エアＡを軽量物排出口１８側に向って噴射する複数のエア噴射孔２６を搬送方向に所定ピッチで形成したので、被選別ごみを振動搬送する途中で、分離エアＡにより軽量物をガイド溝１４の傾斜面１４ａを乗り越えさせて、軽量物排出口１８に送り出し分離することができ、被選別ごみ中に壊れやすいガラス壜が混じっていても、割れることなく容易に分離することができる。なお、この重量式選別装置によるガラス壜とその他の容器（スチール缶、アルミ缶、ＰＥＴボトル）の分別率は、実験の結果９８％以上であった。
【００１７】
また、ガイド溝１４の傾斜面１４ａの傾斜面の傾斜角を小さく設定することにより、小さい分離エア圧で軽量物をも分離することができ、分離精度を向上させることができる。また軽量物排出口１８側に噴射するエア噴射孔２７を、平面上または傾斜面１６ａ上に突設して配置し軽量物排出口１８側に開口するのではなく、軽量物排出口１８側に向く垂直面１４ｂおよび傾斜角の大きい傾斜面１４ｃに形成したので、被分別ごみの搬送の障害となることなくスムーズに搬送することができる。したがって、後工程におけるガラス壜の色選別を容易に行え、リサイクル壜の有効利用が促進される。
【００１８】
さらに、軽量物排出口１８から軽量物を分離落下させるので、トラフ１３を、分離後の重量物のみを搬送可能な幅に設定することができ、全幅を狭く構成できてコンパクト化を図ることができる。
【００１９】
【発明の効果】
以上に述べたごとく、請求項１記載の発明によれば、入口側からガイド溝に投入された被選別物は、振動されて個々に分散されつつガイド溝に沿って出口側に搬送され、さらにエア噴射孔から噴射された分離エアにより軽量物排出口側に付勢される。これにより、重量物はガイド溝に案内されて重量物排出口に搬送されるが、軽量物はガイド溝を越えて軽量物排出口に押し出され分離排出される。このように、振動搬送途中で吹き付けられる分離エアーでガイド溝を乗り越えさせることにより、被選別物を重量物と軽量物とに高精度で分離でき、また被選別物中に壊れやすい壜類などがあっても破損されることがない。しかも搬送面の幅が、軽量物が分離された後の重量物の搬送に必要な幅だけとなるので、コンパクト化を図ることができる。
【００２０】
また請求項２記載の発明によれば、軽量物を小さい分離エア圧で軽量物排出口側に送り出して分離することができ、分離精度を向上できる。また、分離エアのエア噴射孔を軽量物排出口に対向する傾斜面に配置することにより、これを突出させることなく噴射方向を軽量物排出口側に向けることができ、搬送および分離の障害となることもない。
【図面の簡単な説明】
【図１】本発明に係る重量式選別装置の実施の形態を示す横断面図である。
【図２】同重量式選別装置の全体斜視図である。
【図３】従来の選別装置を示し、（ａ）は側面図、（ｂ）は正面図である。
【符号の説明】
１１    振動コンベヤ装置
１３    トラフ
１４    ガイド溝
１４ａ  傾斜面
１４ｂ  垂直面
１５    加振装置
１６    供給シュート
１７    重量物排出口
１８    軽量物排出口
２１    風箱
２４    エアコンプレッサー
２６    エア噴射孔
３１    重量物トレイ
３２    軽量物トレイ
Ａ    分離エア
【図１】
0003638427.tif 000002
【図２】
0003638427.tif 000003
【図３】
0003638427.tif 000004